(57)【特許請求の範囲】
【請求項１】
所定規格によって裁断されて備えられる本文部、
前記本文部の前面を覆う表表紙部と前記本文部の後面を覆う裏表紙部を含む表紙部、
外部から筆記具が見えるように形成される筆記具収納溝、
および前記表表紙部の外側又は前記裏表紙部の外側のうち、少なくとも一つ以上の外側を左右方向に巻いて留めるように備えられ、弾性力のある紐からなるバンド、を含み、
前記筆記具収納溝は本を閉じたときに筆記具が外に落ちないように、前記表表紙部又は前記本文部が本の前方から前記筆記具に圧力を加え、前記裏表紙部又は前記本文部が本の後方から前記筆記具に圧力を加えられる厚さで形成されることを特徴とする、
筆記具収納溝のある本。
【請求項２】
前記バンドは前記表紙部の最上端側から最下端側までの上下方向の長さに沿って３等分した場合、前記３等分した領域の中間領域に形成されることを特徴とする請求項１に記載の筆記具収納溝のある本。
【請求項３】
所定規格によって裁断されて備えられる本文部、
前記本文部の前面を覆う表表紙部と前記本文部の後面を覆う裏表紙部を含む表紙部、
外部から筆記具が見えるように形成される筆記具収納溝、
および前記表表紙部の外側又は前記裏表紙部の外側のうち、少なくとも一つ以上の外側を対角線方向に巻いて留めるように備えられ、弾性力のある紐からなるバンド、を含み、
前記筆記具収納溝は本を閉じたときに筆記具が外に落ちないように、前記表表紙部又は前記本文部が本の前方から前記筆記具に圧力を加え、前記裏表紙部又は前記本文部が本の後方から前記筆記具に圧力を加えられる厚さで形成されることを特徴とする、
筆記具収納溝のある本。
【請求項４】
所定の規格によって裁断されて備えられる本文部、
前記本文部の前面を覆う表表紙部と前記本文部の後面を覆う裏表紙部を含む表紙部、
外部から筆記具が見えるように形成される筆記具収納溝、
および前記表表紙部の外側又は前記裏表紙部の外側のうち、少なくとも一つ以上の外側を巻いて留めるように備えられ、弾性力のある紐からなるバンド、を含み、
前記筆記具収納溝は本を閉じたときに筆記具が外に落ちないように、前記表表紙部又は前記本文部が本の前方から前記筆記具に圧力を加え、前記裏表紙部又は前記本文部が本の後方から前記筆記具に圧力を加えられる厚さで形成されることを特徴とする、
筆記具収納溝のある本。
【請求項５】
所定規格によって裁断されて備えられる本文部、
前記本文部の前面を覆う表表紙部と前記本文部の後面を覆う裏表紙部を含む表紙部、
外部から筆記具が見えるように形成される筆記具収納溝、
および前記表表紙部の外側又は前記裏表紙部の外側のうち、少なくとも一つ以上の外側を本の上下方向に巻いて留めるように備えられ、弾性力のある紐からなるバンド、を含み、
前記本文部には使用者の選択によって筆記具収納溝の厚さが調節できる切断可能面が形成されることを特徴とする、
筆記具収納溝のある本。
【請求項６】
所定規格によって裁断されて備えられる本文部、
前記本文部の前面を覆う表表紙部と前記本文部の後面を覆う裏表紙部を含む表紙部、
外部から筆記具が見えるように形成される筆記具収納溝、
および前記表表紙部の外側又は前記裏表紙部の外側のうち、少なくとも一つ以上の外側を本の左右方向に巻いて留めるように備えられ、弾性力のある紐からなるバンド、を含み、
前記筆記具収納溝は本を閉じたときに筆記具が外に落ちないように、前記表表紙部又は前記本文部が本の前方から前記筆記具に圧力を加え、
前記裏表紙部又は前記本文部が本の後方から前記筆記具に圧力を加えられる厚さで形成され、
前記筆記具収納溝は前記本文部の最上端側に形成され、
前記バンドは本の真ん中の横方向を基準として本の上端部に位置することを特徴とする、
筆記具収納溝のある本。
【請求項７】
所定規格によって裁断されて備えられる本文部、
前記本文部の前面を覆う表表紙部と前記本文部の後面を覆う裏表紙部を含む表紙部、
外部から筆記具が見えるように形成される筆記具収納溝、
および前記表表紙部の外側又は前記裏表紙部の外側のうち、少なくとも一つ以上の外側を本の上下方向に巻いて留めるように備えられ、弾性力のある紐からなるバンド、を含み、
前記筆記具収納溝は本を閉じたときに筆記具が外に落ちないように、前記表表紙部又は前記本文部が本の前方から前記筆記具に圧力を加え、
前記裏表紙部又は前記本文部が本の後方から前記筆記具に圧力を加えられる厚さで形成され、
前記筆記具収納溝は前記本文部の最上端側に形成されることを特徴とする、
筆記具収納溝のある本。
【請求項８】
所定規格によって裁断されて備えられる本文部、
前記本文部の前面を覆う表表紙部と前記本文部の後面を覆う裏表紙部を含む表紙部、
外部から筆記具が見えるように形成される筆記具収納溝、
および前記表表紙部の外側又は前記裏表紙部の外側のうち、少なくとも一つ以上の外側を本の対角線方向に巻いて留めるように備えられ、弾性力のある紐からなるバンド、を含み、
前記筆記具収納溝は本を閉じたときに筆記具が外に落ちないように、前記表表紙部又は前記本文部が本の前方から前記筆記具に圧力を加え、
前記裏表紙部又は前記本文部が本の後方から前記筆記具に圧力を加えられる厚さで形成され、
前記筆記具収納溝は前記本文部の最上端側に形成され、
前記バンドは本の真ん中の横方向を基準として本の上端部に位置することを特徴とする、
筆記具収納溝のある本。
【請求項９】
所定規格によって裁断されて備えられる本文部、
前記本文部の前面を覆う表表紙部と前記本文部の後面を覆う裏表紙部を含む表紙部、
外部から筆記具が見えるように形成される筆記具収納溝、
および本が開かないように前記表表紙部と前記裏表紙部を結合して固定する結合部材、を含み、
前記筆記具収納溝は本を閉じたときに筆記具が外に落ちないように、前記表表紙部又は前記本文部が本の前方から前記筆記具に圧力を加え、
前記裏表紙部又は前記本文部が本の後方から前記筆記具に圧力を加えられる厚さで形成され、
前記筆記具収納溝は前記本文部の小口側に形成されることを特徴とする、
筆記具収納溝のある本。
【請求項１０】
所定規格によって裁断されて備えられる本文部、
前記本文部の前面を覆う表表紙部と前記本文部の後面を覆う裏表紙部を含む表紙部、
外部から筆記具が見えるように形成される筆記具収納溝、
および前記表表紙部の外側又は前記裏表紙部の外側のうち、少なくとも一つ以上の外側を本の上下方向に巻いて留めるように備えられ、弾性力のある紐からなるバンド、を含み、
前記筆記具収納溝は本を閉じたときに筆記具が外に落ちないように、前記表表紙部又は前記本文部が本の前方から前記筆記具に圧力を加え、前記裏表紙部又は前記本文部が本の後方から前記筆記具に圧力を加えられる厚さで形成されることを特徴とする、
筆記具収納溝のある本。
【請求項１１】
前記バンドは前記表紙部の最左端側から最右端側までの左右方向の長さに沿って３等分した場合、前記３等分した領域のうち、小口側の最も近い領域に形成されることを特徴とする請求項１０に記載の筆記具収納溝のある本。
【請求項１２】
前記筆記具収納溝は前記筆記具収納溝の一側を形成する前記表紙部の本文側に筆記具の本体に密着されて前記筆記具を押さえて固定できるホルダーが含まれることを特徴とする請求項１、３、または１０のいずれか一項に記載の筆記具収納溝のある本。
【請求項１３】
前記本文部には使用者の選択によって筆記具収納溝の厚さが調節できる切断可能面が形成されることを特徴とする請求項１、３、６、７、８、または１０のいずれか一項に記載の筆記具収納溝のある本。
【発明の詳細な説明】
【技術分野】
【０００１】
本発明は、筆記具を収納することができる本に関するものであって、より詳細には筆記具が収納できる溝が小口、最上端又は最下端に備えられる本の形態の製本物に関するものである。
【背景技術】
【０００２】
一般的に学習用ノートやダイアリーのような製本物は筆記具が収納できるホルダやクリップが備えられるか、あるいはボールペンなどの筆記具に付いているクリップを挟むための場所が備えられる。しかし、このようなホルダーやクリップは前記製本物の体積を増やす要因となる。また、前記のようなホルダー乃至クリップ、又は筆記具自体のクリップを利用した固定方式は、前記筆記具が外部に突出されるように備えられるため、運搬又は保管時に洋服やかばんなどに引っかかるか、前記筆記具がホルダーから離脱されて紛失するなどの不便があった。
【０００３】
韓国公開実用新案第２０−２００８−０００１７１１号(考案者：キムベクミン)は、一定規格に裁断された紙を重ねて製本される本の紙のうち、一部紙の毎ページごとに該製本部位の一側の所定の位置に筆記具が通過できる程度の長方形の貫通穴を開け、この紙の重畳により所定深さの筆記具収納溝が形成し、ここに筆記具を収納し携帯できるように構成したことを特徴とする筆記具収納溝を有する本を提供する。
【０００４】
前記考案は筆記具が本の保管溝に安全に収納され、本の外部に筆記具が突出されることがないため紛失の恐れが少なくなり、運搬時の干渉も減らすことができる。しかし、前記のように本文に長方形の貫通穴を開けることにより、本文の中間部分が貫通されるので、本文としての効率性が低下され、本文の印刷や筆記に制約を受ける。また、紙が破れやすい恐れがある。また、前記発明は、表紙部を固定する別途の手段が備えられていないため、本の運搬時に使用者の不注意により本の表紙部が開いた場合、筆記具が収納溝を離脱して紛失および破損の恐れがある。
【発明の概要】
【発明が解決しようとする課題】
【０００５】
本発明による筆記具収納溝を有した本は、筆記具と本を同時に携帯することができ、本の外部に別途の突出部が形成されていないので、保管および移動が容易である。
【課題を解決するための手段】
【０００６】
前記のような目的を達成するための本発明による実施例は、所定規格によって裁断されて備えられる本文部、前記本文部の前面を覆う表表紙部と前記本文部の後面を覆う裏表紙部を含む表紙部、外部から筆記具が見えるように前記本文部の小口側に形成され、前記本文部の小口側に筆記具の長さの方向に沿って形成される筆記具収納溝および前記表表紙部の外側又は前記裏表紙部の外側のうち、少なくとも一つ以上の外側を左右方向に巻いて留めるように備えられ、弾性力のある紐からなるバンドを含む。
【０００７】
また、前記筆記具収納溝は本を閉じたときに筆記具が外に落ちないように、前記表表紙部又は前記本文部が本の前方から前記筆記具に圧力を加え、前記裏表紙部又は前記本文部が本の後方から前記筆記具に圧力を加えられる厚さで形成され、前記バンドは前記表紙部の最上端から最下端までの上下方向の長さに沿って３等分した場合、前記３等分した領域の中間領域に形成される。
【０００８】
また、前記筆記具収納溝は前記筆記具収納溝の一側を形成する前記表紙部の本文側に筆記具の本体に密着されて前記筆記具を押さえて固定できるホルダーが含まれる。
【０００９】
また、前記本文部には使用者の選択によって筆記具収納溝の厚さが調節できる切断可能面が形成される。
【００１０】
本発明によるまた他の実施例は所定規格によって裁断されて備えられる本文部、前記本文部の前面を覆う表表紙部と前記本文部の後面を覆う裏表紙部を含む表紙部、外部から筆記具が見えるように前記本文部の小口側に形成され、前記本文部の小口側に筆記具の長さの方向に沿って形成される筆記具収納溝および前記表表紙部の外側又は前記裏表紙部の外側のうち、少なくとも一つ以上の外側を対角線方向に巻いて留めるように備えられ、弾性力のある紐からなるバンドを含む。
【００１１】
また、前記筆記具収納溝は本を閉じたときに筆記具が外に落ちないように、前記表表紙部又は前記本文部が本の前方から前記筆記具に圧力を加え、前記裏表紙部又は前記本文部が本の後方から前記筆記具に圧力を加えられる厚さで形成され、前記バンドは前記表紙部の上端又は下端と前記表紙部の小口側を包むように備えられる。
【００１２】
また、前記筆記具収納溝は本を閉じたときに筆記具が外に落ちないように、前記表表紙部又は前記本文部が本の前方から前記筆記具に圧力を加え、前記裏表紙部又は前記本文部が本の後方から前記筆記具に圧力を加えられる厚さで形成され、前記バンドは前記表紙部の上端と前記表紙部の小口側を包むように備えられる第１バンドと、前記表紙部の下端と前記表紙部の小口側を包むように備えられる第２バンドとを含むことができる。
【００１３】
また、前記筆記具収納溝は前記筆記具収納溝の一側を形成する前記表紙部の本文側に筆記具の本体に密着されて前記筆記具を押さえて固定できるホルダーが含まれる。
【００１４】
また、前記本文部には使用者の選択によって筆記具収納溝の厚さが調節できる切断可能面が形成される。
【００１５】
本発明による本は、所定規格によって裁断されて備えられる本文部、前記本文部の前面を覆う表表紙部と前記本文部の後面を覆う裏表紙部を含む表紙部、前記本文部の一部分を切り取って直接筆記具収納溝を作れるように前記本文部に形成される切断可能面および前記表表紙部の外側又は前記裏表紙部の外側のうち、少なくとも一つ以上の外側を巻いて留めるように備えられ、弾性力のある紐からなるバンドを含む。
【００１６】
本発明による収納溝を備えた本は、所定の規格によって裁断されて備えられる本文部、前記本文部の前面を覆う表表紙部と前記本文部の後面を覆う裏表紙部を含む表紙部、外部から筆記具が見えるように形成され、前記筆記具の長さ方向に沿って形成される筆記具収納溝および前記表表紙部の外側又は前記裏表紙部の外側のうち、少なくとも一つ以上の外側を巻いて留めるように備えられ、弾性力のある紐からなるバンドを含む。
【００１７】
前記筆記具収納溝は本を閉じたときに筆記具が外に落ちないように、前記表表紙部又は前記本文部が本の前方から前記筆記具に圧力を加え、前記裏表紙部又は前記本文部が本の後方から前記筆記具に圧力を加えられる厚さで形成され、前記筆記具収納溝は前記本文部の最上端側に形成されてもよい。
【００１８】
前記筆記具収納溝は本を閉じたときに筆記具が外に落ちないように、前記表表紙部又は前記本文部が本の前方から前記筆記具に圧力を加え、前記裏表紙部又は前記本文部が本の後方から前記筆記具に圧力を加えられる厚さで形成され、前記筆記具収納溝は前記本文部の最下端又は最上端側に形成されてもよい。
【発明の効果】
【００１９】
本発明による筆記具収納溝のある本によると、小口に筆記具が収納できる溝が形成され、本の表紙部を留められるバンドが備えられる筆記具収納溝のある本が提供される。前記筆記具収納溝は一般的な筆記具の直径より狭い幅を有し、筆記具の収納時に前記本の本文の間に挟まれることにより固定される。また、本が綴じられた面である本の背の反対側面、すなわち、小口に筆記具が収納できる溝が備えられ、前記溝を覆う表表紙の内側にペンホルダーが備えられることにより、安全に筆記具を収納して運搬することもできる。また、収納溝が形成されても本文の製本強度が弱化される恐れなく前記本文上の印刷面や筆記面の面積を極大化することができる。
【００２０】
前記筆記具収納溝は本文部の余白面を利用するので、前記筆記具収納溝を備えるために本の体積を増加させる必要がなく、筆記具が小口に埋め込まれる形態として収納されるので運搬時の干渉がなく、筆記具が必要な場合に表紙部を開かなくても取り出して使用することができる。
【００２１】
また、手帳形態の冊子に対してはバンドが提供され、筆記具だけではなくメモ用紙や写真、名刺などを収納して弾性力のあるバンドで表紙部を留められるので移動時や保管時に離脱を防止することができる。
【図面の簡単な説明】
【００２２】
【図１】本発明に係る筆記具収納溝のある本の一実施例を示した斜視図及び正面図
【図２】本発明に係る筆記具収納溝のある本の一実施例を示した展開図
【図３】本発明に係る筆記具収納溝のある本のバンドの一実施例を示した斜視図
【図４】本発明に係る筆記具収納溝のある本のバンドの一実施例を示した側面図
【図５ａ】本発明に係る筆記具収納溝のある本の筆記具収納溝の一実施例を示した断面図
【図５ｂ】本発明に係る筆記具収納溝のある本の筆記具収納溝の他の実施例を示した断面図
【図５ｃ】本発明に係る筆記具収納溝のある本の筆記具収納溝の他の実施例を示した側面図
【図６】本発明に係る筆記具収納溝のある本のバンドの他の実施例を示した斜視図
【図７】本発明に係る筆記具収納溝のある本のバンドの他の実施例を示した正面図及び断面図
【図８】本発明に係る筆記具収納溝のある本のバンドの他の実施例を示した斜視図
【図９】本発明に係る筆記具収納溝のある本のバンドの他の実施例を示した斜視図
【図１０】本発明に係る筆記具収納溝のある本のバンドの他の実施例を示した斜視図
【図１１】本発明に係る筆記具収納溝のある本のバンドの他の実施例を示した斜視図
【図１２】本発明の他の実施例を示した斜視図
【図１３】本発明の他の実施例を示した斜視図
【図１４】本発明の他の実施例を示した斜視図
【発明を実施するための形態】
【００２３】
本発明は、様々な変更を加えることができ、種々の実施例を有することができるところ、特定の実施例を図面に例示し、詳細に説明する。しかし、これは本発明を特定の実施例に対して限定するものではなく、本発明の技術思想及び技術範囲に含まれるすべての変更、均等物ないし代替物を含むものと理解されるべきである。また、様々な形態に変更でき、本発明の範囲は下記の実施例に限るものではない。
【００２４】
以下、添付の図面を参照して本発明による実施例を詳細に説明し、図面符号に関係なく同一または対応する構成要素には同じ参照番号を付してこれに関する重複説明は省略する。
【００２５】
図１は本発明に係る筆記具収納溝のある本の一実施例を示した斜視図及び正面図であり、図２は本発明に係る筆記具収納溝のある本の一実施例を示した展開図であり、図３は本発明に係る筆記具収納溝のある本のバンドの一実施例を示した斜視図であり、図４は本発明に係る筆記具収納溝のある本のバンドの一実施例を示した側面図であり、図５ａは本発明に係る筆記具収納溝のある本の筆記具収納溝の一実施例を示した断面図であり、図５ｂは本発明に係る筆記具収納溝のある本の筆記具収納溝の他の実施例を示した断面図であり、図５ｃは本発明に係る筆記具収納溝のある本の筆記具収納溝の他の実施例を示した側面図であり、図６は本発明に係る筆記具収納溝のある本のバンドの他の実施例を示した斜視図であり、図７は本発明に係る筆記具収納溝のある本のバンドの他の実施例を示した正面図及び断面図である。
【００２６】
図１及び図３を参照する。本発明は表紙部１１０、本文部１２０、筆記具収納溝１２１、バンド１３０で構成される。
【００２７】
本文部１２０は本の本文を構成する紙であり、一般的な製本物の規格によって多様な大きさで裁断されて備えられる。冊子の場合には、前記本文に本の内容が印刷され、手帳やダイアリーのようなノート類は罫線や格子が印刷されてもよい。前記本文部は複数の紙が重ねて複数の枚数を有するように備えられ、一側が製本されて扇形に広がるように備えられることもある。
【００２８】
前記本文部１２０を製本する方式は、糸製本、無線製本、洋装、半洋装、リング製本など多様の方式で実施できる。
【００２９】
表紙部１１０は前記本文部１２０が製本される綴じ部に貼り付けられるか、糸などで綴じられることにより本の背と表紙を形成し、前記本文部を包むことにより前記本文部１２０を保護するカバーの役割をする。前記表紙部１１０は本の前面に該当する表表紙部１１０ａと裏表紙部１１０ｂで構成される。
【００３０】
一般的に本の表紙は、本文より厚い材質の板紙や複数の紙を重ねて作った合紙を用いた紙にボール紙などを貼り付けて形成される。前記表紙部１１０は前記本文部１２０と同一な縦横規格で備えられ、一般的な洋装本の製本形式によって若干大きい規格で備えられ前記本文部１２０の小口を保護するように備えられることもある。
【００３１】
筆記具収納溝１２１は、前記本文部１２０の小口に、前記本文部１２０の小口の一部を裁断して形成される。すなわち、前記筆記具収納溝１２１は前記本文部１２０の小口に別途の材料を追加して備えられるものではなく、前記本文部１２０の小口を収納溝の形態に裁断して製本することにより備えられる新たな小口面に該当する。
前記筆記具収納溝１２１は前記本文部１２０の厚さによって、前記本文部１２０の全体を裁断して形成することもあり、一部だけを裁断して形成することもある。前記筆記具収納溝１２１は前記本文部１２０を溝形態に裁断し、別途の材料や構成を追加して形成されるものではないので、前記のような形態で筆記具を収納すると筆記具が開口部を介して離脱される恐れがある。
【００３２】
図４及び図５ａを参照する。前記筆記具収納溝１２１に収納された筆記具が離脱されることを防止するために、前記表紙部１１０が前記筆記具収納溝１２１と接する本文１１２部分にホルダー１２２を備えてもよい。前記ホルダー１２２は一般的なペン、あるいは鉛筆が有する円通形状に合わせて窪い溝を有し、前記筆記具収納溝１２１と噛み合う形態で備えられる。よって、前記筆記具収納溝１２１にペン又は鉛筆(未図示)が収納された場合、前記表紙部１１０を覆うことにより前記ホルダー１２２が前記筆記具収納溝１２１に収納されたペン又は鉛筆を押さえて離脱されないようにする。
【００３３】
前記ホルダー１２２は前記筆記具収納溝１２１に収納された筆記具が離脱されないようにするものであって、必ずしも前述のような窪い溝を有した突出物の形態で形成されるものではない。たとえば、前記ホルダー１２２は前記表紙部１１０の一側端から垂直に折られて延長されることにより、前記表紙部１１０が覆われているときに前記筆記具収納溝１２１を覆うようになる。このとき、前記ホルダー１２２は前記表紙部１１０の材質が延長されて形成されてもよく、別途の材質のものを当てたり、金属、プラスチック素材のクリップを挟む形態で形成されてもよい。
【００３４】
図３及び図６を参照する。前記ホルダー１２２が前記ペン又は鉛筆を押さえる状態を持続するためにバンド１３０が備えられる。前記バンド１３０は前記表紙部の外側面を上下又は左右に巻いて留めるものであり、弾性力のある紐で備えられ、前記表紙部１１０を開くときには前記バンド１３０を引っ張って解けることができる。
【００３５】
図４を参照する。前記バンド１３０は、両端がバンドクリップ１３１に固定され、前記バンドクリップ１３１が前記表紙部１１０の表表紙部１１０ａ乃至裏表紙部１１０ｂのいずれか一つの上下両方端部の一側に偏って分離可能に固定されることにより、前記表紙部１１０を留められるようになる。前記バンドクリップ１３１はスチール素材で備えられ前記表紙部１１０の端部に簡単に挟まれて固定されることができ、前記バンド１３０が貫通されて固定できるようにホールが形成されてもよい。
【００３６】
図６を参照する。前記バンド１３０の他の実施例が示されている。前記バンド１３０は前記表紙部１１０を上下に留めることもでき、図示のように前記表表紙部１１０ａ及び裏表紙部１１０ｂの前面に固定されて左右に前記表紙部１１０を固定することもできる。前記バンド１３０を解けるときには、前記バンド１３０を引っ張って前記本の本体１００の上側や下側に捲って前記バンド１３０が本の背の方に行くようにすることで前記表紙部１１０を開くことができる。
【００３７】
図７を参照する。前記バンド１３０は、該両端に結びクリップ１３４が付着され前記表紙部１１０の内側に挿入されることにより固定される。すなわち、前記表紙部１１０の表紙の表面１１３と板紙１１１の間の層に前記結びクリップ１３４が埋め込まれるようにして前記バンド１３０を固定することができる。このとき前記バンド１３０が貫通される表紙１１０のバンドホール１３３はリベット１３５が備えられ前記表紙１１０の磨耗を防止することができる。
前記バンドホール１３３は図示のように穴の周囲にリベット１３５が備えられ穴が保護できるように備えられるが、表紙部１１０の材質、又はバンド１３０の形態などによっては前記リベット１３５のないバンドホール１３３が備えられる。
【００３８】
すなわち、前記バンド１３０の断面が円形ではない平たいベルト型である場合、前記バンドホール１３３は穴を保護するためのリベット１３５を追加的に備えず単純に前記表紙１１０に穴を開けるだけで形成できる。
【００３９】
図５ｂ及び５ｃを参照する。筆記具収納溝１２１の他の実施例が示されている。前記筆記具収納溝１２１は、該厚さを一般的な筆記具の直径より小さくすることが好ましい。すなわち、前記筆記具収納溝１２１に収納される筆記具が前記表紙部１１０により押された状態でバンド１３０で前記表紙部１１０に圧力が加えられるので、前記筆記具２００が離脱されないようにすることができる。
【００４０】
このとき、前記筆記具収納溝１２１は、長さ方向の長さが１０〜１９ｃｍ、厚さ０．３〜０．９ｃｍの範囲内で備えられる。一般的な筆記具２００の直径は０．８ｃｍ内外で、このような筆記具２００を前記筆記具収納溝１２１に収納し前記表紙部１１０を覆った場合、前記表紙部１１０は前記本文部１２０と離隔されて前記筆記具２００に接するようになる。すなわち、前記筆記具２００は前記筆記具収納溝１２１の下側面に一側が接し、他側が前記表紙部１１０に接するようになる。その後、前記バンド１３０で前記表紙部１１０を留めると前記筆記具２００が留められて抜けない。
図５ｂを参照する。前記バンド１３０は、前記バンド１３０により加えられる力が前記筆記具収納溝１２１に収納された前記筆記具２００を垂直、又は前記筆記具収納溝１２１の内側に押さえられるように前記表紙部１１０の縁に位置することで、前記表表紙部１１０ａの小口側の角及び本の上側、下側の角を押さえることができる。これにより、前記筆記具２００は移動及び運搬時にも前記筆記具収納溝１２１から離脱されずに安全に保管することができる。
【００４１】
このとき、前記筆記具収納溝１２１は前記本文部１２０の初めの頁は裁断しないことにより、前記筆記具２００が前記表表紙部１１０ａ及び前記本文部１２０の一部により押される。すなわち、前記表表示部１１０ａはその材質が厚くて前記バンド１３０により前記筆記具２００を押さえるときに前記筆記具２００と接する面積が相対的に小さい。よって、上述のように前記本文部１２０の一部側が前記筆記具２００を前記表表紙部１１０ａと共に押さえると、前記表表紙部１１０ａに比べて相対的に薄い材質の本文部１２０が前記筆記具２００と接する面積が広いので前記筆記具２００がより堅固に把持できる。
【００４２】
以上のような、本発明による筆記具収納溝のある本の作用を説明する。
【００４３】
使用者は本の本体１００の表紙部１１０を開いて筆記具収納溝１２１にペン又は鉛筆を収納する。前記表紙部１１０を再び閉じると、前記表紙部１１０の本文部１１２側に備えられるホルダー１２２が前記ペン又は鉛筆(未図示)を押さえるようになる。以後、使用者はバンド１３０を利用して前記表紙部１１０を留める。
【００４４】
前記バンド１３０の一実施例によると、使用者は前記バンド１３０を裏表紙部１１０ｂの上下側一端にバンドクリップを用いて設け、前記バンド１３０で表表紙部１１０ａを結ぶことにより前記表紙部１１０が留められる。前記バンド１３０は弾性力を有するので、前記筆記具収納溝１２１に収納されたペン又は鉛筆が前記ホルダー１２２により適切に押さえられる状態を持続することができる。
【００４５】
前記バンド１３０の他の実施例によると、使用者は前記バンド１３０を前記本の本体１００の上側又は下側に捲って前記筆記具収納溝１２１の方に移動させる。
【００４６】
前記バンド１３０の他の実施例によると、前記バンド１３０が前記筆記具収納溝１２１の開放面の方に位置され、前記ホルダー１２２と共に前記筆記具収納溝１２１に収納された筆記具が離脱することを防止できる。
【００４７】
図８は、本発明に係る筆記具収納溝のある本のバンドの他の実施例を示した斜視図であり、図９は本発明に係る筆記具収納溝のある本のバンドの他の実施例を示した斜視図である。図１０は本発明に係る筆記具収納溝のある本のバンドの他の実施例を示した斜視図であり、図１１は本発明に係る筆記具収納溝のある本のバンドの他の実施例を示した斜視図である。
【００４８】
図１２は、本発明の他の実施例を示した斜視図である。
【００４９】
図８による実施例は所定規格によって裁断されて備えられる本文部１１２と前記本文部の前面を覆う表表紙部１１０ａと前記本文部の後面を覆う裏表紙部１１０ｂを含む表紙部１１０を含む。また、外部から筆記具が見えるように前記本文部の小口側に形成され、前記本文部の小口側に筆記具の長さの方向に沿って形成される筆記具収納溝１２１および前記表表紙部の外側又は前記裏表紙部の外側のうち、少なくとも一つ以上の外側を左右方向に巻いて留めるように備えられ、弾性力のある紐からなるバンド１３０を含む。
【００５０】
また、前記筆記具収納溝１２１は本を閉じたときに筆記具が外に落ちないように、前記表表紙部又は前記本文部が本の前方から前記筆記具に圧力を加え、前記裏表紙部又は前記本文部が本の後方から前記筆記具に圧力を加えられる厚さで形成され、前記バンド１３０は前記表紙部１１０の最上端から最下端までの上下方向の長さに沿って３等分した場合、前記３等分した領域の中間領域に形成される。
【００５１】
また、前記筆記具収納溝は前記筆記具収納溝の一側を形成する前記表紙部の本文側に筆記具の本体に密着されて前記筆記具を押さえて固定できるように備えられるホルダーが含まれる。
【００５２】
また、前記本文部には使用者の選択によって筆記具収納溝の厚さが調節できる切断可能面が形成される。このような切断可能面は筆記具の厚さによって筆記具収納溝の厚さを調節するためのものであって、使用者は選択によって前記本文部の切断可能面を用いて筆記具収納溝の厚さを調節して使用することができる。
【００５３】
図９乃至図１１のさらに他の実施例は、所定規格によって裁断されて備えられる本文部１１２、前記本文部の前面を覆う表表紙部１１０ａと前記本文部の後面を覆う裏表紙部１１０ｂを含む表紙部１１０、外部から筆記具が見えるように前記本文部の小口側に形成され、前記本文部の小口側に筆記具の長さの方向に沿って形成される筆記具収納溝１２１および前記表表紙部の外側又は前記裏表紙部の外側のうち、少なくとも一つ以上の外側を対角線方向に巻いて留めるように備えられ、弾性力のある紐からなるバンド１３０を含む。
【００５４】
また、前記筆記具収納溝は本を閉じたときに筆記具が外に落ちないように、前記表表紙部又は前記本文部が本の前方から前記筆記具に圧力を加え、前記裏表紙部又は前記本文部が本の後方から前記筆記具に圧力を加えられる厚さで形成され、前記バンドは前記表紙部の上端(図９参照)又は下端(図１０参照)と前記表紙部の小口側を包むように備えられる。
【００５５】
また、図１１のように、前記筆記具収納溝は本を閉じたときに筆記具が外に落ちないように、前記表表紙部又は前記本文部が本の前方から前記筆記具に圧力を加え、前記裏表紙部又は前記本文部が本の後方から前記筆記具に圧力を加えられる厚さで形成され、前記バンドは前記表紙部の上端と前記表紙部の小口側を包むように備えられる第１バンド１３６と、前記表紙部の下端と前記表紙部の小口側を包むように備えられる第２バンド１３７とを含むことができる。
【００５６】
また、前記筆記具収納溝は前記筆記具収納溝の一側を形成する前記表紙部の本文側に筆記具の本体に密着されて前記筆記具を押さえて固定できるホルダーが含まれる。
【００５７】
また、前記本文部には使用者の選択によって筆記具収納溝の厚さが調節できる切断可能面が形成される。このような切断可能面は筆記具の厚さによって筆記具収納溝の厚さを調節するためのものであって、使用者は選択によって前記本文部の切断可能面を用いて筆記具収納溝の厚さを調節して使用することができる。
【００５８】
図１２は本発明に係る他の実施例を示した斜視図である。
【００５９】
本発明による本は、所定規格によって裁断されて備えられる本文部１１２、前記本文部の前面を覆う表表紙部と前記本文部の後面を覆う裏表紙部を含む表紙部１１０、前記本文部の一部分を切り取って直接筆記具収納溝を作れるように前記本文部に形成される切断可能面１３８および前記表表紙部の外側又は前記裏表紙部の外側のうち、少なくとも一つ以上の外側を巻いて留めるように備えられ、弾性力のある紐からなるバンドを含む。
【００６０】
このように、筆記具収納溝を予め作らず、本の本文部に切断可能面を作ることで、使用者は自分が使用している筆記具の厚さに合わせて切断可能面を用いて本の本文部の一部分を除去することで筆記具収納溝を備えられる。
【００６１】
図１３と図１４は本発明に係る他の実施例を示した斜視図であって、筆記具収納溝が本文部の最上端側１２３と本文部の最下端側１２４に形成された状態をそれぞれ示したものである。
【００６２】
本発明による収納溝のある本は、所定規格によって裁断されて備えられる本文部、前記本文部の前面を覆う表表紙部と前記本文部の後面を覆う裏表紙部を含む表紙部、外部から筆記具が見えるように形成され、前記筆記具の長さの方向に沿って形成される筆記具収納溝および前記表表紙部の外側又は前記裏表紙部の外側のうち、少なくとも一つ以上の外側を巻いて留めるように備えられ、弾性力のある紐からなるバンドを含む。
【００６３】
前記筆記具収納溝は本を閉じたときに筆記具が外に落ちないように、前記表表紙部又は前記本文部が本の前方から前記筆記具に圧力を加え、前記裏表紙部又は前記本文部が本の後方から前記筆記具に圧力を加えられる厚さで形成され、前記筆記具収納溝は前記本文部の最上端側１２３に形成され得る。 
【００６４】
前記筆記具収納溝は本を閉じたときに筆記具が外に落ちないように、前記表表紙部又は前記本文部が本の前方から前記筆記具に圧力を加え、前記裏表紙部又は前記本文部が本の後方から前記筆記具に圧力を加えられる厚さで形成され、前記筆記具収納溝は前記本文部の最下端側１２４に形成され得る。 
【００６５】
上述のように、使用者の好みによって多様な位置に筆記具収納溝を備えることができ、これによる弾性バンドの位置も自由に変形できる。
【００６６】
前述のように添付の図面を参照して本発明を説明するが、本発明の技術的思想を脱しない範囲で多様な修正及び変形をすることができる。よって、本発明の範囲は説明された実施例によって定められず、後述する特許請求の範囲だけでなくこのような特許請求の範囲と均等なものによって定められるべきである。
【図１】
0006528156.tif 000002
【図２】
0006528156.tif 000003
【図３】
0006528156.tif 000004
【図４】
0006528156.tif 000005
【図５ａ】
0006528156.tif 000006
【図５ｂ】
0006528156.tif 000007
【図５ｃ】
0006528156.tif 000008
【図６】
0006528156.tif 000009
【図７】
0006528156.tif 000010
【図８】
0006528156.tif 000011
【図９】
0006528156.tif 000012
【図１０】
0006528156.tif 000013
【図１１】
0006528156.tif 000014
【図１２】
0006528156.tif 000015
【図１３】
0006528156.tif 000016
【図１４】
0006528156.tif 000017